(57)【要約】      （修正有）【課題】圧電センサ内で位置検出と荷重検出ができる圧電センサを提供する。【解決手段】圧電センサ１０は、可撓性を有し荷重が与えられたときに電荷を発生する圧電シート１１と、前記圧電シート１１の第１主面に配置され前記圧電シート１１に荷重が与えられたとき前記圧電シート１１を撓ませて前記圧電シート１１に凸面と凹面を形成する撓ませ部材１４と、前記第１主面の前記凸面に配置される第１電極１２と、前記圧電シートの前記第１主面とは反対側の第２主面の前記凸面に配置される第２電極１３とを備えるように構成した。【選択図】図１
2014238269.tif 000002
【特許請求の範囲】
【請求項１】
可撓性を有し荷重が与えられたときに電荷を発生する圧電シートと、
前記圧電シートの第１主面に配置され前記圧電シートに荷重が与えられたとき前記圧電シートを撓ませて前記圧電シートに凸面と凹面を形成する撓ませ部材と、
前記第１主面の前記凸面に配置される第１電極と、
前記圧電シートの前記第１主面とは反対側の第２主面の前記凸面に配置される第２電極と、を備える  圧電センサ。
【請求項２】
可撓性を有し荷重が与えられたときに電荷を発生する圧電シートと、
前記圧電シートの第１主面に積層され前記圧電シートに荷重が与えられたとき前記圧電シートを撓ませて前記圧電シートに凸面と凹面を形成する撓ませ部材と、
前記第１主面の前記凹面に配置される第１電極と、
前記圧電シートの前記第１主面とは反対側の第２主面の前記凹面に配置される第２電極と、を備える圧電センサ。
【請求項３】
前記撓ませ部材は、前記圧電シートの周縁部に配置された請求項１〜２の圧電センサ。
【請求項４】
前記圧電シートが、活性圧電部と不活性圧電部とからなり、前記活性圧電部は前記第１電極と前記第２電極で挟持されている請求項１〜３の圧電センサ。
【請求項５】
前記圧電シートが、
前記第１電極と接する第１圧電シートと、
前記第２電極と接する第２圧電シートとを備え、
前記第１圧電シートと前記第２圧電シートの間に基準電極を備える請求項１〜４の圧電センサ。
【請求項６】
前記第１電極が、酸化インジウム錫、またはポリエチルジオキソチオフェンを含む請求項１〜５の圧電センサ。
【請求項７】
前記第２電極が、酸化インジウム錫、またはポリエチルジオキソチオフェンを含む請求項１〜５の圧電センサ。
【請求項８】
前記圧電シートが、有機圧電材料からなる請求項１〜７の圧電センサ。
【請求項９】
前記有機圧電材料が、ポリフッ化ビニリデンまたはポリ乳酸を含む請求項８の圧電センサ。
【請求項１０】
請求項１〜９の圧電センサとタッチパネルを備える圧力検出装置。
【請求項１１】
前記タッチパネルが静電容量型タッチパネルである請求項１０の圧力検出装置。
【発明の詳細な説明】
【技術分野】
【０００１】
本発明は、荷重に応じた圧電信号を発生する圧電センサに関し、特に荷重が与えられた位置を検出できる圧電センサに関する。
【背景技術】
【０００２】
与えられた荷重を検出するため、圧電シートを用いた圧電センサが知られている。例えば、特許文献１には、透明感圧層と、一対の透明導電層からなる透明圧電センサが開示されている。
【先行技術文献】
【特許文献】
【０００３】
【特許文献１】特開２００４−１２５５７１号公報
【発明の概要】
【発明が解決しようとする課題】
【０００４】
しかし、特許文献１の透明圧電センサでは、与えられた荷重を検出するのが困難である。
【課題を解決するための手段】
【０００５】
上記目的を達成するために、本発明は以下のように構成する。
【０００６】
本発明の圧電センサは、圧電シートと、撓ませ部材と、第１電極と、第２電極を備える。圧電シートは可撓性を有している。撓ませ部材は、圧電シートの第１主面に配置され、圧電シートに荷重が与えられたとき、圧電シートを撓ませて圧電シートに凸面と凹面を形成する。第１電極は、圧電シートの第１主面に配置されている。第２電極は、圧電シートの第１主面とは反対側の第２主面に配置されている。なお、第１電極と第２電極は、圧電シートに荷重が加えられたときに、荷重面と撓ませ部材とで形成される圧電シートの凸面上に配置されている。
【０００７】
上記構成によれば、圧電シートに荷重が与えられたとき、撓み部材によって圧電シートには凸面が形成される。圧電シートに凸面が形成されると、圧電シートに圧縮応力が働き効率的に圧電シートから電荷が発生する。なお、電荷が発生する凸面には第１電極と第２電極が配置されているので、発生した電荷は第１電極と第２電極を経由して容易に検出される。
【０００８】
本発明の圧電センサは、圧電シートと、撓ませ部材と、第１電極と、第２電極を備える。圧電シートは可撓性を有している。撓ませ部材は、圧電シートの第１主面に配置され、圧電シートに荷重が与えられたとき、圧電シートを撓ませて圧電シートに凸面と凹面を形成する。第１電極は、圧電シートの第１主面に配置されている。第２電極は、圧電シートの第１主面とは反対側の第２主面に配置されている。なお、第１電極と第２電極は、圧電シートに荷重が加えられたときに、荷重面と撓ませ部材とで形成される圧電シートの凹面に配置されている。
【０００９】
上記構成によれば、圧電シートに荷重が与えられたとき、撓み部材によって圧電シートには凹面が形成される。圧電シートに凹面が形成されると、圧電シートに引張り応力が働き効率的に圧電シートから電荷が発生する。なお、凹面には第１電極と第２電極が配置されているので、上記で発生した電荷は第１電極と第２電極を経由して容易に検出される。
【００１０】
上記撓ませ部材は、圧電シートの周縁部に設けられていてもよい。
【００１１】
圧電シートが活性圧電部と不活性圧電部とからなり、活性圧電部は、第１電極と第２電極によって挟まれていてもよい。そうすると、クロストーク現象の発生を防止できる。その結果、圧電センサにかかった位置と荷重の検出精度が向上する。
【００１２】
基準電極が、第１電極と第２電極の間に設けられていてもよい。かかる場合、第１電極と基準電極の間には第１圧電シートが設けられてもよく、第２電極と基準電極の間には第２圧電シートが設けられていてもよい。
そうすると、第１圧電シートや第２圧電シートで発生した電荷を第１電極と第２電極とで独立して検出できる。
【００１３】
第１電極は、酸化インジウム錫、またはポリエチルジオキソチオフェンを含んでいてもよい。
そうすると、第１電極の透明性が高くなるので、液晶や有機ＥＬなどの表示装置の上に圧電センサを配置できる。
【００１４】
第２電極は、酸化インジウム錫、またはポリエチルジオキソチオフェンを含んでいてもよい。
そうすると、第２電極の透明性が高くなるので、液晶や有機ＥＬなどの表示装置の上に圧電センサを配置できる。
【００１５】
圧電シートは、有機圧電材料から構成されていてもよい。
そうすると、圧電シートの柔軟性が大きくなるので、圧電センサの耐屈曲性が向上する。その結果、上記圧電センサをＲ曲面などに配置できる。
【００１６】
有機圧電材料は、ポリフッ化ビニリデンまたはポリ乳酸を含んでいてもよい。
そうすると、圧電シートの透明性が高くなるので、液晶や有機ＥＬなどの表示装置の上に圧電センサを配置できる。
【００１７】
圧力検出装置は、圧電センサとタッチパネルを備えていてもよい。そうすると、圧電センサに対し荷重がほとんどかからないような場合でも、荷重の位置検出ができる。
【００１８】
上記タッチパネルが静電容量型のタッチパネルであってもよい。そうすると、圧力検出装置全体の透明性が向上する。
【発明の効果】
【００１９】
本発明に係る圧電センサでは、与えられた荷重を検出することができる。
【図面の簡単な説明】
【００２０】
【図１】圧力検出装置の概念図である。
【図２】図１のＡ-Ａ’断面図である。
【図３】圧電センサが撓んだときの断面図である。
【図４】圧電センサの平面図である。
【図５】圧電センサの断面図である。
【図６】圧電センサが撓んだときの断面図である。
【図７】圧電センサの平面図である。
【図８】圧電センサの断面図である。
【図９】圧電センサの断面図である。
【図１０】圧電センサとタッチパネルを組合せた圧力検出装置の断面図である。
【発明を実施するための形態】
【００２１】
下記で、本発明に係る実施形態を図面に基づいてさらに詳細に説明する。なお、本発明の実施例に記載した部位や部分の寸法、材質、形状、その相対位置などは、とくに特定的な記載がない限り、この発明の範囲をそれらのみに限定する趣旨のものではなく、単なる説明例にすぎない。
【００２２】
１． 第１実施形態
（１）圧力検出装置の全体構造
図１、図２を用いて、本発明の第１実施形態に係る圧力検出装置の全体構造を説明する。図１は圧力検出装置の概略図である。図２は圧電センサのＡ-Ａ’断面図である。
【００２３】
圧力検出装置は、与えられた荷重の量と位置を検出する機能を有している。
図１に示すように、圧力検出装置１は、圧電センサ１０と、検出部２０と、制御部３０を有している。圧電センサ１０は、与えられた荷重に応じて電荷を発生させる装置である。検出部２０は、圧電センサ１０で発生した電荷を検出する装置である。制御部３０は、圧電センサ１０に設置されたスイッチＳを制御する装置である。以下で、圧力検出装置１の構成を詳細に説明する。
【００２４】
（２）圧電センサ
図２に示すように、圧電センサ１０は、圧電シート１１と、第１電極１２と、第２電極１３と、撓ませ部材１４と、基板１５と、接着部材１６からなる。撓ませ部材１４は、圧電シート１１の第１主面の周縁部に枠状に配置されている。第１電極１２は、圧電シート１１の第１主面に配置され、第２主面は、圧電シート１１の第２主面に配置されている。なお、第１電極１２と第２電極１３は、圧電センサ１０の断面視において、圧電シート１１の周縁部から撓ませ部材１４をオーバーラップして、撓ませ部材１４より内側の圧電シート１１の中央部分にかけて配置されている。
【００２５】
（３）圧電シート
圧電シート１１を構成する材料としては、無機圧電材料や有機圧電材料が挙げられる。
【００２６】
無機圧電材料としては、チタン酸バリウム、チタン酸鉛、チタン酸ジルコン酸鉛、ニオブ酸カリウム、ニオブ酸リチウム、タンタル酸リチウムなどが挙げられる。
【００２７】
有機圧電材料としては、フッ化物重合体又はその共重合体、キラリティーを有する高分子材料などが挙げられる。フッ化物重合体又はその共重合体としては、ポリフッ化ビニリデン、フッ化ビニリデン−テトラフルオロエチレン共重合体、フッ化ビニリデン−トリフルオロエチレン共重合体などが挙げられる。キラリティーを有する高分子材料としては、Ｌ型ポリ乳酸や、Ｒ型ポリ乳酸などが挙げられる。
【００２８】
また、圧力検出装置１を、タッチパネルを備えた表示装置に適用する場合には、圧電シートを透明な材料により構成するか、又は、光が十分に透過できる程度に薄く構成することが好ましい。
【００２９】
（３）電極
第１電極１２、第２電極１３は、導電性を有する材料により構成できる。導電性を有する材料としては、インジウム−スズ酸化物（Ｉｎｄｉｕｍ−Ｔｉｎ−Ｏｘｉｄｅ、ＩＴＯ）、スズ−亜鉛酸化物（Ｔｉｎ−Ｚｉｎｃ−Ｏｘｉｄｅ、ＴＺＯ）などのような透明導電酸化物、ポリエチレンジオキシチオフェン（Ｐｏｌｙｅｔｈｙｌｅｎｅｄｉｏｘｙｔｈｉｏｐｈｅｎｅ、ＰＥＤＯＴ）などの導電性高分子、などを用いることができる。この場合、上記の電極は、蒸着やスクリーン印刷などを用いて形成できる。
【００３０】
また、導電性を有する材料として、銅、銀などの導電性の金属を用いてもよい。この場合、上記の電極は、蒸着により形成してもよく、銅ペースト、銀ペーストなどの金属ペーストを用いて形成してもよい。
【００３１】
さらに、導電性を有する材料として、バインダー中に、カーボンナノチューブ、金属粒子、 金属ナノファイバーなどの導電材料が分散したものを用いてもよい。
【００３２】
（４）撓ませ部材
撓ませ部材１４は、圧電シート１１の第１主面に配置され圧電シート１１に荷重が与えられたとき、圧電シート１１を撓ませて圧電シート１１に凸面と凹面を形成する部材である。撓ませ部材１４を構成する材料としては、剛性を有し他の基材と圧電センサ１０を接着する材料が挙げられる。
【００３３】
接着材料としては、両面テープやクッション素材、または両面テープとクッション素材を組合せたものを用いることができる。両面テープを構成する材料をしては、アクリル系樹脂やシリコーン系樹脂などを挙げることができる。クッション素材としては、発泡性ポリウレタンやポリエチレンなどの樹脂を挙げることができる。
【００３４】
（５）基板
基板１５は、圧電センサ１０を保護するための部材である。基板１５の材料としては、有機材料、無機材料、有機−無機ハイブリッド材料が挙げられる。有機材料としては、アクリル、ポリカーボネート、ポリエチレンテレフタレートを挙げることができる。無機材料としては、ガラス板などが挙げられる。有機−無機ハイブリッド材料としては、樹脂の中にガラス繊維を含有させた材料を挙げることができる。
【００３５】
（６）接着材料
接着材料１６は、圧電層１１と基板１５を接着する部材である。
【００３６】
（７）検出部
図１に示すように、第２電極１３は検出部２０と接続されている。図示しないが、第１電極１２はアースされている。上記のように構成すると、検出部２０は、圧電シート１１が押圧されたときに、圧電シート１１で発生する電荷を検出できる。なお、検出部２０は、ＡＤコンバータなどの検出機器を用いることができる。
【００３７】
（８）制御部
制御部３０は、第２電極１３と検出部２０を接続するスイッチＳに接続されている。制御部３０は、上記スイッチＳについて、ＯＮ-ＯＦＦの切替信号を出力できる機能を備えている。
【００３８】
制御部３０は、例えば、圧力検出装置１のドライブシステムに含めることができる。当該ドライブシステムは、ＣＰＵ（Ｃｅｎｔｒａｌ  Ｐｒｏｃｅｓｓｉｎｇ  Ｕｎｉｔ）、記憶部、及び圧電センサをドライブするためのインターフェースなどを備えたマイコンであってもよい。又は、当該ドライブシステムは、カスタムＩＣなどにより１つのＩＣに集約されていてもよい。
【００３９】
また、制御部の上記機能は、上記マイコンやカスタムＩＣなどの記憶部に記憶されたプログラムを、ＣＰＵやカスタムＩＣなどに実行させることにより実現してもよい。
【００４０】
上記のように、圧力検出装置１を構成すると、図３に示すように、圧電センサ１０に荷重が与えられたとき、圧電シート１１は撓み、荷重のかかった箇所には、水平面に対して凹向きの凹面が形成される。反対に、撓ませ部材１４が配置された付近には、水平面に対して凸向きの凸面が形成される。このとき、圧電シート１１の上記凸面には、曲げモーメント（圧縮応力）が働き、圧電シート１１内で電荷が発生する。なお、上記凸面には、第１電極１２と第２電極１３が配置されているので、上記で発生した電荷を、検出部２０で検出することができる。その結果、検出した電荷を測定することによって、荷重のかかった場所と荷重量を測定できる。
【００４１】
なお、検出した電荷から荷重量を測定するには、検出部２０に所定の演算式を入力しておけばよい。また、検出した電荷から荷重位置を特定するには、各コーナー部で検出された電荷の電荷量から重心位置を特定すればよい。荷重のかかった箇所が複数に及んだ場合も同様である。すなわち、上記圧力検出装置１によれば、マルチフォースが可能となる。
【００４２】
２．第２実施形態
第１実施態様では、撓ませ部材１４が、圧電シート１１の周縁部に枠状に配置されていた。第１電極１２と第２電極１３は、圧電シート１１のコーナー部に配置され、第１電極１２と第２電極１３は、断面視において、圧電シート１１の周縁部から撓ませ部材１４をオーバーラップして圧電シート１１の中央付近にまで配置されていた。しかし、第１電極１２と第２電極１３は、圧電シート１１の断面視において、撓ませ部材１４より圧電シート１１の中央部付近に配置されてる限りにおいては、上記態様に限定されない。
【００４３】
図４（ａ）〜図４（ｅ）は、第３実施形態にかかる圧電センサの断面図である。
【００４４】
図４（ａ）に示すように、圧電センサ１０において、撓ませ部材１４は、圧電シート１１の第１主面の周縁部に枠状に配置されている。第１電極１２は圧電シート１１の第１主面の周縁部に配置され、第２電極１３は圧電シート１１の第２主面の周縁部に配置されている。なお、第１電極１２と第２電極１３は、圧電シート１１の断面視において、圧電シート１１の端部から撓ませ部材１４をオーバーラップし圧電シート１１の中央部付近にまで部分的に設けられている。
【００４５】
上記態様において、図４（ｂ）に示すように、第１電極１２と第２電極１３は、帯状であってもよい。
【００４６】
図４（ｃ）に示すように、圧電センサ１０において、撓ませ部材１４は、圧電シート１１の一の辺の周辺と、その一の辺と反対側の辺の周辺に帯状に配置されている。第１電極１２は圧電シート１１の第１主面の周縁部に配置され、第２電極１３は圧電シート１１の第２主面の周縁部に配置されている。なお、第１電極１２と第２電極１３は、圧電シート１１の断面視において、圧電シート１１の端部から撓ませ部材１４をオーバーラップし圧電シート１１の中央部付近まで部分的に設けられている。
【００４７】
上記態様において、図４（ｄ）に示すように、第１電極１２と第２電極１３は、帯状であってもよい。
【００４８】
図４（ｅ）に示すように、圧電センサ１０において、撓ませ部材１４は、圧電シート１１のコーナ部に部分的に配置され、第１電極１２は圧電シート１１の第１主面のコーナー部に配置され、第２電極１３は圧電シート１１の第２主面のコーナー部に配置されている。なお、第１電極１２と第２電極１３は、圧電シート１１の断面視において、撓ませ部材１４とオーバーラップするよう、圧電シート１１の端部から撓ませ部材１４を越えて圧電シート１１の中央部付近まで部分的に設けられている。
【００４９】
図示しないが、圧電センサにおいて、撓ませ部材は、圧電シートの周縁部に部分的に配置されていてもよい。第１電極は圧電シート１１の第１主面のコーナー部に配置され、第２電極は圧電シートの第２主面のコーナー部に配置されていてもよい。なお、第１電極と第２電極は、圧電シートの断面視において、圧電シートの端部から撓ませ部材をオーバーラップし圧電シートの中央部付近まで部分的に設けられていてもよい。
【００５０】
上記態様において、第１電極と第２電極は、枠状であってもよい。
【００５１】
３．第３実施形態
第１実施形態，第２実施形態では、圧電シート１１の断面視において、第１電極１２や第２電極１３は、圧電シート１１の端部から撓ませ部材１４をオーバーラップし圧電シート１１の中央部付近にかけて配置されていた。しかし、第１電極１２と第２電極１３が配置される場所は、圧電シート１１が撓んだとき凸面を形成する面（圧電シートに圧縮応力がかかる面）に配置されていれば、上記に限定されない。下記で、第１電極１２と第２電極１３の他の配置場所について説明する。
【００５２】
図５（ａ）〜図５（ｄ）は、第３実施形態にかかる圧電センサの断面図である。
【００５３】
図５（ａ）に示すように、圧電シート１１の断面視において、第１電極１２や第２電極１３は、撓ませ部材１４から圧電シート１１の中央部付近まで配置されていてもよい。
【００５４】
図５（ｂ）に示すように、図５（ａ）の態様において、第２電極１３が圧電シート１１の一面に配置されていてもよい。
【００５５】
図５（ｃ）に示すように、圧電シート１１の断面視において、第１電極１２や第２電極１３は、撓ませ部材１４と隣接する限りにおいて撓ませ部材１４より圧電シート１１の中央部に配置されていてもよい。
【００５６】
図５（ｄ）に示すように、圧電シート１１の断面視において、第１電極１２や第２電極１３は、撓ませ部材１４の形状に沿うように撓ませ部材１４上に配置されていてもよい。
【００５７】
４．第４実施形態
第１〜３実施態様では、第１電極１２と第２電極１３は、圧電シート１１に荷重がかかったときに、撓ませ部材１４と荷重によって形成される圧電シート１１の凸面上に配置されていた。しかし、図６に示すように、第１電極１２と第２電極１３は、圧電シート１１に荷重がかかったときに、撓ませ部材１４によって形成される圧電シート１１の凹面上に配置されていてもよい。
【００５８】
図７（ａ）〜図７（ｅ）は、第３実施形態にかかる圧電センサの断面図である。
【００５９】
図７（ａ）に示すように、圧電センサ１０において、撓ませ部材１４は、圧電シート１１の第１主面の周縁部に枠状に配置されている。第１電極１２は、圧電シート１１の第１主面に配置され、第２電極１３は圧電シート１１の第２主面に配置されている。また、第１電極１２と第２電極１３は、撓ませ部材１４より圧電センサ１０の中央部に配置されている。なお、圧電センサ１０の中央部とは、外部から荷重が直接与えられたとき、撓ませ部材１４との間で圧電シート１１が凹面を形成する箇所である。
【００６０】
上記のように、圧電センサ１０を構成すると、図６に示すように、圧電センサ１０に荷重が与えられたとき、圧電シート１１は撓み、荷重のかかった箇所には凹向きの凹面が形成される。このとき、圧電シート１１の上記凹面には、曲げモーメント（引張り応力）が働き、圧電シート１１内で電荷が発生する。なお、電荷が発生する凹面には、第１電極１２と第２電極１３が配置されているので、発生した電荷を検出部２０で検出することができる。その結果、検出した電荷を測定することによって、荷重のかかった場所と荷重量を測定できるものとなっている。
【００６１】
上記態様において、図７（ｂ）に示すように、第１電極１２と第２電極１３は、帯状であってもよい。
【００６２】
図７（ｃ）に示すように、圧電センサ１０において、撓ませ部材１４が、圧電シート１１の一の辺の周辺と、その一の辺と反対側の辺の周辺に帯状に配置されていてもよい。この場合において、第１電極１２は、圧電シート１１の第１主面に配置され、第２電極１３は、圧電シート１１の第２主面に配置されている。なお、第１電極１２と第２電極１３は、圧電シート１１の平面視において、撓ませ部材１４より圧電センサ１０の中央部に部分的に配置されている。
【００６３】
上記態おいて、図７（ｄ）に示すように、第１電極１２と第２電極１３は、帯状であってもよい。
【００６４】
図７（ｅ）に示すように、圧電センサ１０において、撓ませ部材１４は、圧電シート１１の第１主面のコーナー部に部分的に配置されていてもよい。この場合において、第１電極１２は圧電シート１１の第１主面に配置され、第２電極１３は圧電シート１１の第２主面に配置されている。なお、第１電極１２と第２電極１３は、圧電シート１１の平面視において、撓ませ部材１４より圧電センサ１０の中央部に部分的に配置されている。
【００６５】
図示しないが、圧電センサは、撓ませ部材が、圧電シートの周縁部に部分的に配置されていてもよい。この場合において、第１電極は圧電シートの第１主面に配置され、第２電極は圧電シートの第２主面に配置されている。なお、第１電極と第２電極は、圧電シートの平面視において、撓ませ部材より圧電センサの中央部に部分的に配置されていてもよい。
【００６６】
５．第５実施形態
圧電シート１１は、活性圧電部１１０と不活性圧電部１１１を備えていてもよい。
【００６７】
図８は、第５実施形態にかかる圧電センサの断面図である。
【００６８】
図８に示すように、圧電シート１１は、活性圧電部１１０と不活性圧電部１１１からなる。
活性圧電部１１０は、圧電センサ１０に荷重が与えられたときに電荷が発生する部分である。不活性圧電部１１１は、荷重が与えられても電荷が発生しない部分である。
【００６９】
図８の例では、圧電センサ１０は、第１電極１２と第２電極１３に活性圧電部１１０が挟まれている。このように構成されていると、圧電シート１１の第１電極１２や第２電極１３が積層されていない箇所で発生した電荷が漏れ出して、第１電極１２や第２電極１３で検出されるのを防止できる（クロストーク現象を防止できる）。その結果、位置検出精度と荷重検出精度が向上する。なお、図８では、第１電極１２と第２電極１３が活性圧電部１１０の上下に直接積層されていたが、接着層やフィルムなどの絶縁材料を介して、第１電極１２や第２電極１３が活性圧電部１１０の上下に積層されていてもよい。
【００７０】
６．第６実施形態
上記では、第１電極１２と第２電極１３に圧電シート１１が挟まれた構成について説明してきたが、第１電極１２と第２電極１３の間に基準電極４０が設けられていてもよい。
【００７１】
図９は、第６実施形態にかかる圧電センサの断面図である。
【００７２】
図９に示すように、第６実施形態の圧電センサ１０は、第１電極１２と第２電極１３の間に基準電極４０が設けられている。第１電極１２と基準電極４０の間には第１圧電シート１１ａが設けられている。第２電極１３と基準電極４０の間には第２圧電シート１１ｂが設けられている。第１圧電シート１１ａと第２圧電シート１１ｂの材質は、圧電シート１１と同じである。基準電極４０の材質も、第１電極１２や第１電極１２と同じである。
このように、第１電極１２と第２電極１３との間に基準電極４０が設けられると、第１圧電シート１１ａや第２圧電シート１１ｂで発生した電荷を第１電極１２と第２電極１３とで独立して検出できる。その結果、検出回路の設計が簡易になる。
【００７３】
７．その他の実施形態
上記では、与えられた荷重の位置と量を圧電センサ１０で検出する例を示した。しかし、図１０に示すように、圧電センサ１０の上にタッチパネル５０を積層することで、与えられた荷重の位置と量を検出してもよい。
圧電センサ１０の上にタッチパネル５０を積層することにより、与えられた荷重が圧電センサ１０で検出できないほど小さい場合（フェザータッチの場合）でも、タッチパネル５０を用いて与えられた荷重の位置を検出できる。
【符号の説明】
【００７４】
１：圧力検出装置
１０：圧電センサ
１１：圧電シート
１２：第１電極
１３：第２電極
１３a ：第１圧電シート
１３ｂ：第２圧電シート
１４：撓ませ部材
２０：検出部
３０：制御部
４０：基準電極
５０：タッチパネル
１１０：活性圧電部
１１１：不活性圧電部
Ｓ：スイッチ
【図１】
2014238269.tif 000003
【図２】
2014238269.tif 000004
【図３】
2014238269.tif 000005
【図４】
2014238269.tif 000006
【図５】
2014238269.tif 000007
【図６】
2014238269.tif 000008
【図７】
2014238269.tif 000009
【図８】
2014238269.tif 000010
【図９】
2014238269.tif 000011
【図１０】
2014238269.tif 000012